(57)【特許請求の範囲】
【請求項１】
ディスクを載置してローディング及びアンローディングするディスクトレーと、
上記ディスクのローディング後に下降位置から上昇位置へ上昇されて、その光ディスクの中心穴内に下方から嵌合され、かつ、そのディスクを上記ディスクトレーの上方に浮上させる磁性部材からなるディスクテーブルと、
プーリ支持部材によって上記ディスクより上方位置に支持されていて、上記ディスクの中心穴内に下方から嵌合された上記ディスクテーブルによって、上記プーリ支持部材の上方に浮上されると共に、上記ディスクを上記ディスクテーブル上にチャッキングするチャッキングプーリとを備えたディスク装置において、
上記ディスクのローディング後に、上記ディスクテーブルが下降位置から上昇位置へ上昇された時に、上記チャッキングプーリを上記ディスクテーブル側へ引き下げる第１の磁気吸引手段と、
上記ディスクのアンローディング時に、上記ディスクテーブルが上昇位置から下降位置へ下降された時に、上記チャッキングプーリを上記プーリ支持部材に対して上方へ引き上げる第２の磁気吸引手段とを備え、
上記第１の磁気吸引手段を上記チャッキングプーリに取り付けられて、上記磁性部材からなる上記ディスクテーブルに吸引される第１のマグネット及びその第１のマグネットの上部に配置された第１のヨークとによって構成し、
上記第２の磁気吸引手段を上記チャッキングプーリの上記第１のヨークの上部に取り付けられた第２のマグネットと、上記チャッキングプーリより上方位置で、かつ、上記第２のマグネットの上方位置に固定された磁性部材とによって構成し、
上記第１の磁気吸着手段は、上記第２の磁気吸着手段よりも磁気吸着力が大きく設定されると共に、上記チャッキングプーリに、上記第１のマグネット及び上記第２のマグネットが埋設された円筒状の中央部と、その中央部の下方に水平状に形成された円筒状のディスク圧着板と、そのディスク圧着板の外周から上方に立ち上げられた円筒状の外周壁部と、中央部の上方の外周に水平状に形成されて外周壁部の内側に配置された円板状フランジとを合成樹脂によって一体成形し、上記プーリ支持部材を上記チャッキングプーリの外周壁部の内側に挿入して、そのプーリ支持部材で、上記チャッキングプーリのフランジを支持するように構成した
ことを特徴とするディスク装置。
【請求項２】
上記チャッキングプーリを合成樹脂によって構成し、
上記第１のマグネット及び第１のヨークをほぼ同径状の環状に構成し、第１のヨークを第１のマグネット上に密着させた状態で、これら第１のマグネット及び第１のヨークを上記チャッキングプーリの中央部に水平状に埋設し、
上記第１のマグネットの直径方向の両端にＳ極とＮ極を着磁し、
上記第２のマグネットを上記第１のマグネットより小径の円板状に構成して、上記チャッキングプーリの中央で、第１のヨークの上方位置に水平状に埋設した
ことを特徴とする請求項１に記載のディスク装置。
【請求項３】
上記第２のマグネットの上方位置に固定される磁性部材を上記プーリ支持手段の上部配置された板金製の上カバーで構成した
ことを特徴とする請求項１又は請求項２に記載のディスク装置。
【発明の詳細な説明】
【０００１】
【発明の属する技術分野】
本発明は、ディスクをディスクトレーによってローディングし、そのローディングされたディスクをディスクテーブル上にチャッキングプーリによってチャッキングするようにしたディスク装置の技術分野に属するものである。
【０００２】
【従来の技術】
ここで、本発明の出願人が先に出願しているこの種光ディスク装置を図７〜図１４によって説明する。即ち、図１３に示すように、光ディスク１をディスクトレー２の上面に形成された凹所３内に水平に載置した後に、ディスクトレー２のフロントパネル２ａを矢印ａ1 方向に軽く押すと、ローディングスイッチ（図示せず）がＯＮとなり、後述するローディング機構によって、図１４に示すように、ディスクトレー２がトレー出入口４から光ディスク装置５内にローディング方向である矢印ａ1 方向から水平に引き込まれて、後述するように光ディスク１がスピンドルモータのディスクテーブル上に水平に自動的にローディングされる。
【０００３】
そして、このローディング後に、ホストコンピュータからの記録及び／又は再生指令信号等によって、スピンドルモータによって光ディスク１が高速で回転駆動され、光学ピックアップによって光ディスク１のデータが記録及び／又は再生される。そして、この光ディスク１の再生後に、ホストコンピュータからのアンローディング指令信号等によって、図１３に示すように、ディスクトレー２がトレー出入口４から光ディスク装置５外にアンローディング方向である矢印ａ2 方向に自動的にアンローディングされる。
【０００４】
次に、図７〜図１２に示すように、まずディスクトレー２は合成樹脂によって成形されていて、その凹所３の中央部から後端部２ｂ側にかけてトレーセンターＰ1 に沿った長穴状の底面開口８が形成されている。また、このディスクトレー２の左右両側縁にはトレーセンターＰ1 と平行な左右一対のガイドレール９が一体に成形されている。そして、このディスクトレー２の底面の一側部にはほぼＪ形で、平行状のラック１０及びガイド溝１１が一体に成形されている。なお、これらラック１０及びガイド溝１１の直線部１０ａ、１１ａはトレーセンターＰ1 と平行に形成されていて、フロントパネル２ａ側の端部に円弧部１０ｂ、１１ｂが形成されている。
【０００５】
次に、光ディスク装置５の内部には合成樹脂によって成形されたほぼ箱型で浅いシャーシ１４が設けられていて、ディスクトレー２の左右一対のガイドレール９がこのシャーシ１４の左右両側板１４ａの内側に一体成形されている複数のトレーガイド１５によって案内されて矢印ａ1 、ａ2 方向に水平にスライドされるように構成されている。そして、このシャーシ１４の底部１４ｂ上に合成樹脂等によって成形された昇降フレーム１６が取り付けられている。この昇降フレーム１６には、後端部１６ａ側の左右両側の２箇所と、前端部１６ｂ側の中央部との３箇所にインシュレータ取付部１７、１８が一体に成形されていて、これらのインシュレータ取付部１７、１８にゴム等の弾性部材で構成された緩衝器である３つのインシュレータ１９、２０が取り付けられている。
【０００６】
そして、昇降フレーム１６の後端部１６ａに取り付けられた左右一対のインシュレータ１９がこれらの中央に挿通された止ネジ２１によってシャーシ１４の底部１４ｂ上に取り付けられて、昇降フレーム１６の前端部１６ｂに取り付けられた１つのインシュレータ２０がその中央に挿通された止ネジ２２によって昇降駆動レバー２３の先端上に取り付けられている。なお、この昇降駆動レバー２３はトレーセンターＰ1 に対して直角状に配置されていて、その昇降駆動レバー２３の基部が左右一対の水平な支点ピン２４によってシャーシ１４の底部１４ｂ上に上下方向である矢印ｂ1 、ｂ2 方向に回転自在に取り付けられている。
【０００７】
従って、昇降駆動レバー２３によって、昇降フレーム１６がその後端部１６ａ側の左右一対のインシュレータ１９を回動支点にした上下方向の回転運動によって矢印ｃ1 、ｃ2 方向に昇降駆動されるように構成されている。なお、この昇降フレーム１６の上面には浅い凹所２５が形成されている。
【０００８】
そして、ローディング機構２７は、シャーシ１４の底部１４ｂ上で、昇降フレーム１６の前端部１６ｂ側の一側部に取り付けられている。そして、このローディング機構２７は、ローディングモータ２８と、そのローディングモータ２８によって正逆回転駆動するピニオン２９と、そのピニオン２９の中心軸２９ａを垂直な支点軸３０の周囲に水平面内で矢印ｄ1 、ｄ2 方向に首振り運動させるピニオンレバー３１と、そのピニオンレバー３１によって一対の部分ギア３２を介して駆動されて、垂直な支点軸３３の周りに水平面内で矢印ｅ1 、ｅ2 方向に回転駆動されるカムレバー３４と、そのカムレバー３４の支点軸３３の周囲に円弧状に形成されて、上下方向の段差を有するカム溝３５と、昇降駆動レバー２３の先端の一側部に一体に成形されて、カム溝３５内に遊嵌されたカム従動ピン３６とによって構成されている。そして、ピニオン２９がディスクトレー２のラック１０に噛合され、ピニオン２９の中心軸２９ａがガイド溝１１内に遊嵌されている。
【０００９】
そして、このローディング機構２７は、ピニオン２９の中心軸２９ａをディスクトレー２のほぼＪ形のガイド溝１１で誘導することによって、ピニオン２９をディスクトレー２のほぼＪ形のラック１０に沿わせるようにしている。即ち、ディスクトレー２のローディング時には、ローディングモータ２８によって正回転駆動されるピニオン２９でラック１０の直線部１０ａをディスクトレー２の後端部２ｂ側からフロントパネル２ａ側に向けて直線的に駆動することによって、ディスクトレー２を光ディスク装置５内に矢印ａ方向に水平に引き込むものである。そして、ローディングモータ２８によるピニオン２９の引き続きの正回転駆動によって、ピニオン２９をラック１０の円弧部１０ｂに沿って矢印ｄ方向に首振り運動させて、その際に、ピニオンレバー３１によって一対の部分ギア３２を介してカムレバー３４を矢印ｅ1 方向に回転駆動する。
【００１０】
そして、カムレバー３４のカム溝３５で昇降駆動レバー２３のカム従動ピン３６を上方である矢印ｂ1 方向に上昇駆動して、その昇降駆動レバー２３でインシュレータ２０を介して昇降フレーム１６を図１１に示す斜め下方に傾斜された下降位置から図１２に示すように上昇されて水平となる上昇位置まで左右一対のインシュレータ１９を中心に矢印ｃ1 方向に上昇駆動する。そして、ディスクトレー２のアンローディング時には、ローディング時の逆動作で、ローディングモータ２８によって逆回転駆動されるピニオン２９をラック１０の円弧部１０ｂに沿って矢印ｄ2 方向に首振り運動させる間に、カムレバー３４を矢印ｅ2 方向に回転駆動して、カム溝３５でカム従動ピン３６を下方である矢印ｂ2 方向に下降駆動して、昇降駆動レバー２３でインシュレータ２０を介して昇降フレーム１６を左右一対のインシュレータ１９を中心に図１２に示す上昇位置から図１１に示す下降位置まで矢印ｃ2 方向に下降駆動する。そして、ローディングモータ２８によるピニオン２９の引き続きの逆回転駆動によって、ピニオン２９でラック１０の直線部１０ａをディスクトレー２のフロントパネル２ａ側から後端部２ｂ側に向けて直線的に駆動するようにして、ディスクトレー２を光ディスク装置５外へ矢印ａ2 方向に押し出すものである。
【００１１】
次に、昇降フレーム１６の凹所２５内で、前端部１６ｂ側に偏位された位置に形成されているモータ取付部３８にスピンドルモータ３９が垂直状に取り付けられていて、そのモータ軸３９ａの上端にステンレス等の金属である磁性部材で構成されたディスクテーブル４０が水平状に固着されている。なお、ディスクテーブル４０の上部中央には光ディスク１の中心穴１ａが嵌合される円錐台形状のセンターリングガイド４０ａが一体に形成されている。また、昇降フレーム１６の凹所２５内でスピンドルモータ３９より後方側に光学ピックアップ４１が水平状に取り付けられている。そして、この光学ピックアップ４１は、対物レンズ４２及び光反射型のスキューセンサー４３が上向きで垂直状に取り付けられたキャリッジ４４を有しており、対物レンズ４２に対してレーザービームを送信する光学ブロック４５がそのキャリッジ４４の側面に一体に取り付けられている。
【００１２】
そして、昇降フレーム１６には、キャリッジ４４を左右一対のガイド軸４６に沿って矢印ａ1 、ａ2 方向に直線移動させるキャリッジ移動機構４７が取り付けられていて、このキャリッジ移動機構４７は、キャリッジ駆動モータ４８によってギアトレイン４９を介して正逆回転駆動されるピニオン５０と、キャリッジ４４の一側面に取り付けられて、ピニオン５０によって直線駆動されるラック５１とを備えている。なお、スピンドルモータ３９及び対物レンズ４２はトレーセンターＰ1 上に配置されていて、対物レンズ４２はそのトレーセンターＰ1 に沿って矢印ａ1 、ａ2 方向に移動されるように構成されている。
【００１３】
そして、光ディスク１をディスクテーブル４０上にチャッキングするディスクチャッキング装置６１は次のように構成されている。
即ち、ディスクトレー２の上部を横切るようにして、シャーシ１４の左右両側板１４ａの上端部間に合成樹脂によって成形されたプーリ支持部材６２が水平に架設されていて、合成樹脂によってほぼ円盤状に成形されたチャッキングプーリ６３がプーリ支持部材６２の中央位置で、ディスクテーブル４０の真上位置に形成された円形穴６４内に上下、左右及び前後に一定範囲内で移動自在に水平に保持されている。なお、チャッキングプーリ６３の上端の外周に一体成形された水平なフランジ６３ａを下方から受け止める水平なプーリ受け６２ａがプーリ支持部材６２の円形穴６４の外周に一体成形されている。そして、このチャッキングプーリ６３の中央部には円板状のマグネット６５が水平に埋設されている。また、シャーシ１４の上部にはプーリ支持部材６２の上部を跨ぐようにして板金等の磁性部材で構成された上カバー２６が取り付けられている。
【００１４】
従って、ローディング時には、図１１に示すように、チャッキングプーリ６３を自重によってプーリ支持部材６２の下方に下降させて、チャッキングプーリ６３のフランジ６３ａをプーリ支持部材６２のプーリ受け６２ａ上に当接させた吊下状態にしておき、ディスクトレー２の凹所３内に光ディスク３を水平に載置して、そのディスクトレー２によって光ディスク１を光ディスク装置５内に矢印ａ1 方向から水平にローディングする。そして、このローディング後に、図１２に示すように、昇降フレーム１６が上昇位置まで矢印ｃ1 方向に上昇されて水平になった時、ディスクテーブル４０がディスクトレー２の底面開口８から上方に挿通されて、そのディスクテーブル４０のセンターリングガイド４０ａが光ディスク１の中心穴１ａに下方から嵌合される。そして、そのディスクテーブル４０によって光ディスク１がディスクトレー２の凹所３内で上方へ矢印ｂ1 方向に浮かされると共に、光ディスク１と一緒にチャッキングプーリ６３も上方へ矢印ｂ1 方向に押し上げられて、そのフランジ６３ａがプーリ支持部材６２のプーリ受け６２ａの上方に浮かされるが、この時に、チャッキングプーリ６３のマグネット６５によるディスクテーブル４０への磁気吸引力によって、チャッキングプーリ６３が光ディスク１をディスクテーブル４０上に矢印ｂ2 方向から水平にチャッキングする。
【００１５】
そして、ホストコンピュータからの記録及び／又は再生指令信号等によって、スピンドルモータ３９によって光ディスク１が高速で回転駆動されると共に、キャリッジ移動機構４７によって光学ピックアップ４１のキャリッジ４４が矢印ａ1 、ａ2 方向に移動されて、対物レンズ４２がトレーセンターＰ1 に沿って矢印ａ1 、ａ2 方向に移動される。そして、光学ブロック４５から送信されるレーザービームが対物レンズ４２によって光ディスク１の下面に照射されると共に、その反射光が対物レンズ４２を通して光学ブロック４５で受信されて、光ディスク１のデータが記録及び／又は再生される。
【００１６】
なお、キャリッジ移動機構４７は、キャリッジ駆動モータ４８によってギアトレイン４９を介して正逆回転駆動されるピニオン５０がラック５１を直線駆動することによって、キャリッジ４４を左右一対のガイド軸４６に沿って矢印ａ1 、ａ2 方向に移動する。そして、光ディスク１の記録及び／又は再生後に、ホストコンピュータからのアンローディング指令信号等によって、図１１に示すように、昇降フレーム１６が下降位置まで矢印ｃ2 方向に下降されて、ディスクテーブル４０が光ディスク１及びチャッキングプーリ６３から下方に離脱された後に、光ディスク１がディスクトレー２の凹所３内に水平に載置されて、光ディスク１がディスクトレー２によって光ディスク装置５外に矢印ａ2 方向に水平にアンローディングされる。なお、この時には、ディスクテーブル４０が矢印ｃ2 方向に下降されると、チャッキングプーリ６３のフランジ６３ａがプーリ支持部材６２のプーリ受け６２ａに矢印ｂ2 方向から当接されて引き止められるので、マグネット６５の磁気吸引力に抗してディスクテーブル４０がチャッキングプーリ６３から強制的に引き離される。
【００１７】
【発明が解決しようとする課題】
ところで、この先願例のディスクチャッキング装置６１では、図１１に示すように、ディスクトレー２による光ディスク１の矢印ａ1 、ａ2 方向への水平なローディング及びアンローディング時には、チャッキングプーリ６３を自重によってプーリ支持部材６２の下方に下降させて、チャッキングプーリ６３のフランジ６３ａをプーリ支持部材６２のプーリ受け６２ａ上に当接させた吊下状態にしていたので、このローディング及びアンローディング時には、光ディスク１がチャッキングプーリ６３と干渉しないように、その吊下状態のチャッキングプーリ６３の下面とディスクトレー２の凹所３内に水平に載置されている光ディスク１の上面との間にクリアランスＬ1 を確保しておかなければならなかった。従って、この光ディスク装置５の先願例では、ローディング及びアンローディング時に、チャッキングプーリ６３がプーリ支持部材６２からクリアランスＬ2 分下降された状態で、更に、そのチャッキングプーリ６３と光ディスク１との間にクリアランスＬ1 を確保しなければならないために、プーリ支持部材６２と光ディスク１の上面との間にＬ1 ＋Ｌ2 なる大きなスペースが必要になり、この光ディスク装置５全体の厚さＴ1 が厚くなると言う問題があった。
【００１８】
本発明は、上記の問題を解決するためになされたものであって、ディスクチャッキングを強力に行え、しかも、ディスク装置全体の薄型化を図ることを目的としている。
【００１９】
【課題を解決するための手段】
上記の目的を達成するための本発明のディスク装置は、ディスクを載置してローディング及びアンローディングするディスクトレーと、上記ディスクのローディング後に下降位置から上昇位置へ上昇されて、その光ディスクの中心穴内に下方から嵌合され、かつ、そのディスクを上記ディスクトレーの上方に浮上させる磁性部材からなるディスクテーブルと、プーリ支持部材によって上記ディスクより上方位置に支持されていて、上記ディスクの中心穴内に下方から嵌合された上記ディスクテーブルによって、上記プーリ支持部材の上方に浮上されると共に、上記ディスクを上記ディスクテーブル上にチャッキングするチャッキングプーリとを備えたディスク装置において、上記ディスクのローディング後に、上記ディスクテーブルが下降位置から上昇位置へ上昇された時に、上記チャッキングプーリを上記ディスクテーブル側へ引き下げる第１の磁気吸引手段と、上記ディスクのアンローディング時に、上記ディスクテーブルが上昇位置から下降位置へ下降された時に、上記チャッキングプーリを上記プーリ支持部材に対して上方へ引き上げる第２の磁気吸引手段とを備え、上記第１の磁気吸引手段を上記チャッキングプーリに取り付けられて、上記磁性部材からなる上記ディスクテーブルに吸引される第１のマグネット及びその第１のマグネットの上部に配置された第１のヨークとによって構成し、上記第２の磁気吸引手段を上記チャッキングプーリの上記第１のヨークの上部に取り付けられた第２のマグネットと、上記チャッキングプーリより上方位置で、かつ、上記第２のマグネットの上方位置に固定された磁性部材とによって構成し、上記第１の磁気吸着手段は、上記第２の磁気吸着手段よりも磁気吸着力が大きく設定されると共に、上記チャッキングプーリに、上記第１のマグネット及び上記第２のマグネットが埋設された円筒状の中央部と、その中央部の下方に水平状に形成された円筒状のディスク圧着板と、そのディスク圧着板の外周から上方に立ち上げられた円筒状の外周壁部と、中央部の上方の外周に水平状に形成されて外周壁部の内側に配置された円板状フランジとを合成樹脂によって一体成形し、上記プーリ支持部材を上記チャッキングプーリの外周壁部の内側に挿入して、そのプーリ支持部材で、上記チャッキングプーリのフランジを支持するように構成したものである。
【００２０】
上記のように構成された本発明のディスク装置は、ディスクのアンローディング状態では、チャッキングプーリに取り付けられた磁気吸引力が弱い第２のマグネットとチャッキングプーリより上方位置で、かつ、上記第２のマグネットの上方位置に固定された磁性部材とによって構成された第２の磁気吸引手段でチャッキングプーリをプーリ支持部材に対して上方へ引き上げておくことができるので、ディスクトレーによってディスクをローディングする際に、ディスクがチャッキングプーリに干渉されることがない。そして、ディスクのローディング後に、ディスクテーブルが下降位置から上昇位置へ上昇された時に、チャッキングプーリに取り付けられた磁気吸引力が強い第１のマグネットとその上部に配置された第１のヨークとによって構成されて、ディスクテーブルとの間に強い磁気吸引力を発生する第１の磁気吸引手段によってチャッキングプーリをプーリ支持部材に対して下方へ強く引き下げることができるので、そのチャッキングプーリによってディスクをディスクテーブル上に強力にチャッキングすることができる。それでいて、アンローディング時に、チャッキングプーリをプーリ支持部材に対して上方へ引き上げておくことができるので、アンローディング時に確保すべきチャッキングプーリとディスクとの間のクリアランスを、先願例のＬ1 ＋Ｌ2 よりも十分に小さいクリアランスＬ8 に縮小することができる。
【００２１】
【発明の実施の形態】
以下、本発明を適用した光ディスク装置のディスクチャッキング装置の実施の形態を図１〜図６によって説明する。なお、図７〜図１４と同一構造部には同一の符号を付して説明の重複を省く。
【００２２】
「ディスクチャッキング装置の第１の実施形態」
まず、図１〜図５によって、本発明のディスクチャッキング装置６１の第１の実施形態について説明する。
即ち、本発明のディスクチャッキング装置６１は、チャッキングプーリ６３をプーリ支持部材６２に対して下方である矢印ｂ2 方向へ強い磁気吸引力によって引き下げるための第１の磁気吸引手段６７と、チャッキングプーリ６３をプーリ支持部材６２に対して上方である矢印ｂ1 方向へ弱い磁気吸引力によって引き上げるための第２の磁気吸引手段７２とを備えている。
【００２３】
そして、第１の磁気吸引手段６７をほぼ同径状の環状に構成された第１のマグネット６８と第１のヨーク６９とによって構成し、第１のヨーク６９を第１のマグネット６８の上面上に水平に密着させて配置させた状態で、これら第１のマグネット６８と第１のヨーク６９をチャッキングプーリ６３の中央部６３ｂで、中心Ｐ2 の外周に同心円形状で、水平状に埋設している。そして、第２の磁気吸引手段７１を第１のマグネット６８より小径の円板状の第２のマグネット７２で構成し、この第２のマグネット７２をチャッキングプーリ６３の中央部６３ｂの中心Ｐ2 で、第１のヨーク６９より上方位置に水平状に埋設したものである。
【００２４】
そして、第１のマグネット６８のＳ極であるＳとＮ極であるＮを直径方向ｆの両端に着磁したことによって、その第１のマグネット６８のマグネット力である磁気吸引力を強く構成している。そして、第２のマグネット７２の磁気吸引力は第１のマグネット６８の磁気吸引力よりも弱く構成されている。そして、第１の磁気吸引手段６７の磁気吸引対象物が、ステンレス等の金属である磁性部材で構成されていて、チャッキングプーリ６３の下方位置に配置されているディスクテーブル４０であり、第２の磁気吸引手段７１の磁気吸引対象物が板金等の磁性部材で構成されていて、チャッキングプーリ６３の上方位置に水平に固定されている上カバー２６で兼用されている。なお、チャッキングプーリ６３の中央部６３ｂの下面には、ディスクテーブル４０のセンターリングガイド４０ａより大径で、円錐台形状の中央凹部６３ｃが形成されていて、その中央凹部６３ｃの中心Ｐ2 に中心ピン６３ｄが下向きの垂直状に一体成形されており、ディスクテーブル４０のセンターリングガイド４０ａの中心Ｐ2 には中心穴４０ｂが形成されている。
【００２５】
本発明のディスクチャッキング装置６１は以上のように構成されていて、図１及び図４に示すように、ディスクである光ディスク１のアンローディング状態では、第２の磁気吸引手段７１の第２のマグネット７２と磁性部材で構成されている上カバー２６との間に磁束密度が低い磁束φ2 によって発生される上向きである矢印ｂ1 方向への磁気吸引力Ｆ2 を発生させて、その弱い磁気吸引力Ｆ2 によってチャッキングプーリ６３が支持部材６２に対して上方である矢印ｂ1 方向に引き上げられている。この時、チャッキングプーリ６３がプーリ支持部材６２に対してクリアランスＬ3 だけ矢印ｂ1 方向に上昇されていて、このチャッキングプーリ６３の下面とディスクトレー２上に水平に載置されている光ディスク１の上面との間にはクリアランスＬ4 が形成されている。
【００２６】
従って、図１及び図４に示すように、光ディスク１のローディング時には、ディスクトレー２によって光ディスク１が光ディスク装置５内に矢印ａ1 方向から水平にローディングされるが、この時、クリアランスＬ4 の存在により、光ディスク１をチャッキングプーリ６３に何等干渉させることなく、安全にローディングすることができる。そして、この光ディスク１のローディング後に、図２及び図５に示すように、昇降フレーム１６によってスピンドルモータ３９と一体にディスクテーブル４０が下降位置から上昇位置まで矢印ｃ1 方向に上昇されて水平になった時、ディスクテーブル４０のセンターリングガイド４０ａが光ディスク１の中心穴１ａに下方から嵌合されて、そのディスクテーブル４０によって光ディスク１がディスクトレー２の凹所３内で矢印ｂ1 方向にクリアランスＬ5 だけ浮かされ、チャッキングプーリ６３の中心ピン６３ｄにセンターリングガイド４０ａの中心穴４０ｂが矢印ｂ1 方向から嵌合される。
【００２７】
すると、この時、磁性部材で構成されているディスクテーブル４０のセンターリングガイド４０ａが第１の磁気吸引手段６７の第１のマグネット６８に近接されて、この第１のマグネット６８と、第１のヨーク６７と、センターリングガイド４０ａとの間に磁束密度が高い磁束φ1 によって発生される下向きである矢印ｂ2 方向への強い磁気吸引力Ｆ1 が発生する。そして、この第１の磁気吸引手段６７の磁気吸引力Ｆ1 は第２の磁気吸引手段７１に打ち勝つ強い磁気吸引力Ｆ1 であることから、チャッキングプーリ６３がプーリ支持部材６２に対して下方である矢印ｂ2 方向にクリアランスＬ6 だけ強く引き下げられて、そのチャッキングプーリ６３によって光ディスク１がディスクテーブル４０上に強力に、かつ、安定良く水平状にチャッキングされる。但し、この光ディスク１のチャッキング状態でも、チャッキングプーリ６３のフランジ６３ａはプーリ支持部材６２のプーリ受け６２ａの上方にクリアランスＬ7 だけ浮かされている。
【００２８】
そして、このように、光ディスク１をディスクテーブル４０上に強力にチャッキングすることができるので、スピンドルモータ３９のディスクテーブル４０によって光ディスク１を高速で回転駆動しても、光ディスク１にスリップ等が全く発生せず、光ディスク１を高速で安定良く回転駆動することができるので、ＤＶＤ−ＲＯＭ等の光ディスク１の高速回転による高密度の記録及び／又は再生を高精度に行うことができる。
【００２９】
そして、この光ディスク１の記録及び／又は再生後のアンローディング時には、図１及び図４に示すように、昇降フレーム１６によってスピンドルモータ３９と一体にディスクテーブル４０が上昇位置から下降位置まで矢印ｃ2 方向に下降されて、ディスクテーブル４０が光ディスク１から矢印ｃ2 方向に離脱される。すると、チャッキングプーリ６３とディスクテーブル４０との間に発生していた第１の磁気吸引手段６７による矢印ｂ2 方向への強い磁気吸引力Ｆ1 が切断されて、第２の磁気吸引手段７１による矢印ｂ1 方向への弱い磁気吸引力Ｆ2 によってチャッキングプーリ６３が再びプーリ支持部材６２に対してクリアランスＬ3 だけ矢印ｂ1 方向に上昇されて、そのチャッキングプーリ６３の下面とディスクトレー２上の光ディスク１の上面との間にクリアランスＬ4 が再び形成される。従って、この後、光ディスク１がディスクトレー２によって光ディスク装置５の外部へ矢印ａ2 方向に水平にアンローディングされる際に、光ディスク１をチャッキングプーリ６３に何等干渉させることなく、安全にアンローディングすることができる。
【００３０】
以上のように、本発明のディスクチャッキング装置６１によれば、図１及び図４に示すように、光ディスク１のアンローディング状態で、第２の磁気吸引手段７１による矢印ｂ1 方向へのの弱い磁気吸引力Ｆ2 によってチャッキングプーリ６３をプーリ支持部材６２に対して矢印ｂ1 方向にクリアランスＬ3 だけ引き上げた状態で、そのチャッキングプーリ６３の下面と光ディスク１の上面との間にクリアランスＬ4 を形成するようにしたので、図１に示すように、ディスクトレー２の凹所３内に水平に載置されてローディング及びアンローディングされる光ディスク１の上面とプーリ支持部材６２の下面との間のクリアランスＬ8 を、プーリ支持部材６２に対するチャッキングプーリ６３の上方への引き上げ量であるクリアランスＬ3 だけ、先願例の同クリアランスＬ1 ＋Ｌ2 よりも小さくすることができる。そして、このように、クリアランスをＬ8 ＜Ｌ1 ＋Ｌ2 構成できたことによって、光ディスク装置全体の厚さＴ2 を先願例の厚さＴ1 よりもクリアランスＬ3 だけ薄くすることができる。即ち、Ｔ2 ＝Ｔ1 −Ｌ3 となる。なお、第２の磁気吸引手段７１の磁性部材を上カバー２６で兼用することによって、部品点数及び組立工数の削減による低コスト化と、光ディスク装置５全体のより一層の薄型化を実現できる。
【００３１】
また、本発明のディスクチャッキング装置６１によれば、図２及び図５に示すように、光ディスク１のローディング後に、チャッキングプーリ６３をディスクテーブル４０側へ矢印ｂ2 方向に磁気吸引する第１の磁気吸引手段６７を環状の第１のマグネット６８と、環状で、第１のマグネット６８の上面に水平に密着された第１のヨーク６９とによって構成し、かつ、第１のマグネット６８のＳ極であるＳとＮ極であるＮを直径方向ｆの両端に着磁したことによって、その第１のマグネット６８とディスクテーブル４０のセンターリングガイド４０ａとの間に漏洩磁束の少ない、強い磁気吸引力を確実に発生させることができる。従って、第１の磁気吸引手段６７の磁気吸引力Ｆ1 は第２の磁気吸引手段７１の磁気吸引力Ｆ2 に対して確実に打ち勝つ強い磁気吸引力となり、その強い磁気吸引力Ｆ1 によってチャッキングプーリ６３を矢印ｂ2 方向に強く引き下げることができて、光ディスク１をディスクテーブル４０上に強力に、かつ、安定良く水平にチャッキングすることができる。
【００３２】
そして、第１及び第２の磁気吸引手段６７、７１にそれぞれ独立したマグネットである第１及び第２のマグネット６８、７２を設けたことによって、これらの第１及び第２のマグネット６８、７２の磁束密度の調整等によって磁気吸引力Ｆ1 、Ｆ2 を自由に、かつ、簡単に調整することができるので、光ディスク１のローディング後のチャッキング動作及び光ディスク１のアンローディング時のチャッキングプーリ６３の引き上げ動作をそれぞれ確実に行うことができる。
【００３３】
「ディスクチャッキング装置の第２の実施形態」
次に、図６によって、本発明のディスクチャッキング装置６１の第２の実施形態について説明する。
即ち、本発明のディスクチャッキング装置６１は、チャッキングプーリ６３を合成樹脂によって成形して、そのチャッキングプーリ６３に第１及び第２のマグネット６８、７２及び第１のヨーク６９が埋設された円筒状の中央部６３ｂと、その中央部６３ｂの下端の外周に水平状に形成された円板状のディスク圧着板６３ｅと、そのディスク圧着板６３ｅの外周から上方に立ち上げられた円筒状の外周壁部６３ｆと、中央部６３ｂの上端の外周に水平状に形成されて外周壁部６３ｆの内側に配置された小径で、円板状のフランジ６３ａを一体成形している。
【００３４】
そして、板金製の上カバー２６の下面に板金製で小径に形成されたプーリ支持部材６２を取り付け、そのプーリ支持部材６２の下端の内側に水平に形成したプーリ受け６２ａをチャッキングプーリ６３の外周壁部６３ｆの内側に挿入して、フランジ６３ａの下部に配置し、チャッキングプーリ６３ａの中央部６３ｂをプーリ受け６２ａの内側に形成されている円形穴６４内に上下方向及び水平方向に遊びを有する状態に遊嵌されていて、このプーリ支持部材６２によってチャッキングプーリ６３が上下方向及び水平方向に一定範囲内で移動自在に支持されている。
【００３５】
従って、本発明のディスクチャッキング装置６１によれば、チャッキングプーリ６２が外周壁部６３ｆの内側に挿入されているプーリ支持部材６２によって支持されているので、光ディスク装置５を机上等に垂直状に立てて使用する縦置き使用時等において、ディスクローディング及びディスクアンローディング時に、光ディスク１がディスクトレー２の凹所３内でプーリ支持部材６２側に大きく浮き上って、その光ディスク１が板金製のプーリ支持部材６２に接触する危険が発生したとしても、合成樹脂製のチャッキングプーリ６３に一体成形されていて、プーリ支持部材６２を下方及び外周を覆っているディスク圧着板６３ｅ及び外周壁部６３ｆによって光ディスク１がプーリ支持部材６２に直接接触されることを未然に防止することができる。
【００３６】
つまり、光ディスク１は合成樹脂にて成形されていて、その光ディスク１が板金製で定位置に固定されているプーリ支持部材６２に直接接触するようなことがあると、光ディスク１は板金製で、硬いプーリ支持部材６２によって強くこすられてしまい、その光ディスク１が容易に、しかも、大きなダメージ（大きなすり傷等が容易に発生する）を受けてしまう。
【００３７】
しかし、本発明のディスクチャッキング装置では、チャッキングプーリ６３のディスク圧着板６２ｅ及び外周壁部６２ｆによって板金製のプーリ支持部材６２の下方及び外周を覆っているので、光ディスク１がそのプーリ支持部材６２に直接接触して、大きなダメージを受けることを未然に防止することができて、高い安全性を確保することができる。そして、プーリ支持部材６２を小径にして、チャッキングプーリ６３の外周壁部６３ｆの内側に挿入したことによって、図１及び図２に示すように、プーリ支持部材６２をチャッキングプーリ６３の外側に配置していたものと比べて、光ディスク装置５の内部で、チャッキングプーリ６３の外周部分のスペースファクターが良くなり、光ディスク装置５の小型、軽量化を促進することができる。
【００３８】
以上、本発明の実施の形態について説明したが、本発明は上記した実施の形態に限定されることなく、本発明の技術的思想に基づいて各種の変更が可能である。
【００３９】
【発明の効果】
以上のように構成された本発明の光ディスク装置のディスクチャッキング装置は、次のような効果を奏する。
【００４０】
請求項１は、ディスクのアンローディング状態では、チャッキングプーリに取り付けられた磁気吸引力が弱い第２のマグネットと上記チャッキングプーリより上方位置で、かつ、上記第２のマグネットの上方位置に固定された磁性部材とによって構成された第２の磁気吸引手段でチャッキングプーリをプーリ支持部材に対して上方へ引き上げておくようにして、ディスクトレーによってディスクをローディングする際に、ディスクがチャッキングプーリに干渉されることがないようにし、ディスクのローディング後に、ディスクテーブルが下降位置から上昇位置へ上昇された時に、チャッキングプーリに取り付けられた磁気吸引力が強い第１のマグネットとその上部に配置された第１のヨークとによって構成されて、ディスクテーブルとの間に強い磁気吸引力を発生する第１の磁気吸引手段によってチャッキングプーリをプーリ支持部材に対して下方へ強く引き下げるようにして、そのチャッキングプーリによってディスクをディスクテーブル上に強力にチャッキングすることができるようにし、そして、アンローディング時に、チャッキングプーリをプーリ支持部材に対して上方へ引き上げておくことができるようにしたことにより、アンローディング時に確保すべきチャッキングプーリとディスクとの間のクリアランスを、先願例のＬ1 ＋Ｌ2 よりも十分に小さいクリアランスＬ8 に縮小することができるようにしたので、ディスクのディスクテーブル上へのチャッキングを強力に行えるものでありながら、ディスク装置全体の薄型化を図ることができ、ディスクのディスクテーブル上へのチャッキングを強力に行えることによって、スピンドルモータで光ディスクを高速で、安定良く回転駆動することができて、ＤＶＤ−ＲＯＭ等の光ディスクの高密度の記録及び／又は再生を高精度に行うことができる。そして、第１及び第２の磁気吸引手段のマグネットをそれぞれ独立して設けたことによって、ディスクのローディング後に、チャッキングプーリを下方へ引き下げる第１の磁気吸引手段の磁気吸引力と、ディスクのアンローディング時に、チャッキングプーリを上方へ引き上げる第２の磁気吸引手段の磁気吸引力を自由に、かつ、簡単に調整することができる。
【００４１】
請求項２は、第１の磁気吸引手段をほぼ同径状の環状に構成された第１のマグネットと第１のヨークで構成し、第１のヨークを第１のマグネット上に密着させた状態で、合成樹脂によって成形されたチャッキングプーリの中央部に水平状に埋設し、その時、第１のマグネットのＳ極とＮ極を直径方向の両端に着磁し、第２の磁気吸引手段の第２のマグネットを第１のマグネットより小径状の円板で構成して、その第２のマグネットをチャッキングプーリの中央部で、第１のヨークより上方位置に水平状に埋設したので、第１の磁気吸引手段の第１のマグネットとディスクテーブルとの間に、チャッキングプーリをディスクテーブル上に引き上げるための強い磁気吸引力を確実に発生させることができる。そして、第２の磁気吸引手段の第２のマグネットと、それより上方位置に配置された磁性部材との間には、チャッキングプーリをプーリ支持部材に対して上方に引き上げるのに最適な弱い磁気吸引力を確実に発生させることができる。
【００４２】
請求項３は、第２の磁気吸引手段を構成するために第２のマグネットの上方位置に固定される磁性部材を板金製の上カバーで構成したので、部品点数及び組立工数の削減による低コスト化と共に、光ディスク装置のより一層の薄型化を促進することができる。
【００４３】
請求項４は、チャッキングプーリに、マグネットが埋設された中央部と、その中央部の下端の外周に水平状に形成された円板状のディスク圧着板と、そのディスク圧着板の外周から上方に立ち上げられた円筒状の外周壁部と、中央部の上端の外周に水平状に形成されて外周壁部の内側に配置された円板状のフランジを合成樹脂によって一体成形し、上カバーの下面に形成された小径のプーリ支持部材をチャッキングプーリの外周壁部の内側に挿入して、そのプーリ支持部材でチャッキングプーリのフランジを支持するように構成したので、光ディスク装置の縦置き使用時等において、ディスクローディング及びアンローディング時に、ディスクトレーからプーリ支持部材側に大きく浮き上るようなことがあっても、その光ディスクが板金製等のプーリ支持部材に直接接触して、その光ディスクに大きなすり傷等が発生してしまうような大きなダメージを受けることを未然に防止することができる。従って、高い安全性を確保でき、光ディスクの寿命増大を図ることができる。
【００４４】
請求項４は、プーリ支持部材を小径に構成して、チャッキングプーリの外周壁部の内側に配置したので、光ディスク装置の内部におけるチャッキングプーリの外周部分のスペースファクターが良くなり、光ディスク装置の小型、軽量化を促進することができる。
【図面の簡単な説明】
【図１】本発明を適用した光ディスク装置のディスクチャッキング装置における第１の実施形態を説明するためのアンローディング時における要部を拡大して示した断面側面図である。
【図２】同上のディスクチャッキング装置のディスクチャッキング時における要部を拡大して示した断面側面図である。
【図３】同上のディスクチャッキング装置のチャッキングプーリの一部切欠き平面図である。
【図４】同上の光ディスク装置全体のアンローディング時の断面側面図である。
【図５】同上の光ディスク装置全体のディスクチャッキング時の断面側面図である。
【図６】本発明を適用した光ディスク装置のディスクチャッキング装置における第２の実施形態を説明する断面側面図である。
【図７】先願例の光ディスク装置を説明する一部切欠き平面図である。
【図８】同上の光ディスク装置のチャッキングプーリ、クランパー支持板、ディスクトレー、ディスクテーブルを説明する分解斜視図である。
【図９】同上の光ディスク装置のヘッド移動機構と昇降フレームを説明する分解斜視図である。
【図１０】同上の光ディスク装置のローディング機構とシャーシを説明する分解斜視図である。
【図１１】同上の光ディスク装置のアンローディング時の断面側面図である。
【図１２】同上の光ディスク装置のディスクチャッキング時の断面側面図である。
【図１３】同上の光ディスク装置全体のアンローディング時の斜視図である。
【図１４】同上の光ディスク装置全体のローディング時の斜視図である。
【符号の説明】
１は光ディスク、２はディスクトレー、５は光ディスク装置、２６は磁性部材を兼用する上カバー、４０は磁性部材であるディスクテーブル、４０ａはセンターリングガイド、６１はディスクチャッキング装置、６２はプーリ支持部材、６３はチャッキングプーリ、６７は第１の磁気吸引手段、６８は第１のマグネット、６９は第１のヨーク、７１は第２の磁気吸引手段、７２は第２のマグネットである。
【図１】
0003931415.tif 000002
【図２】
0003931415.tif 000003
【図３】
0003931415.tif 000004
【図４】
0003931415.tif 000005
【図５】
0003931415.tif 000006
【図６】
0003931415.tif 000007
【図７】
0003931415.tif 000008
【図８】
0003931415.tif 000009
【図９】
0003931415.tif 000010
【図１０】
0003931415.tif 000011
【図１１】
0003931415.tif 000012
【図１２】
0003931415.tif 000013
【図１３】
0003931415.tif 000014
【図１４】
0003931415.tif 000015